(57)【特許請求の範囲】
【請求項１】
ミスト供給用のミストホース（２）に接続されるノズル筒体（４）のノズル口縁に筒状の吸水体（５）を設けた美・理容装置用ノズルにおいて、前記したノズル筒体（４）が、ミストホース（２）に対して着脱自在な内筒（4b）と、先方部分をこの内筒（4b）の先端から張出させて該内筒（4b）に囲装される吸水体（５）と、前記した内筒（4b）の基方に螺着されて先端に形成された内鍔部（30）を吸水体（５）の先端外周縁に係止させた状態としてこの吸水体（５）を被套固定する外筒（4c）とよりなり、この外筒（4c）が内筒（4b）に対して分離可能とされて前記した吸水体（５）を交換自在としてあることを特徴とする美・理容装置用ノズル。
【請求項２】
外筒（４ｃ）に多数の水分蒸発用の小孔（３２）が透設されている請求項１に記載の美・理容装置用ノズル。
【請求項３】
ミストホース（２）が顔用とヘア用とに分けられている請求項１または２に記載される美・理容装置用ノズル。
【発明の詳細な説明】
【０００１】
【発明の属する技術分野】
本発明は、フェイシヤルやヘアードレッシング等を行う際に使用する美・理容装置用ノズルに関するものである。
【０００２】
【従来の技術】
従来、フェイシヤルやヘアードレッシング等は美・理容装置のミスト発生装置から発生されるミストやミスト発生装置からのミストとスチーム発生装置からの蒸気を混合させた温ミストをノズル筒体から噴霧させて行うものである。しかし、フェイシヤルやヘアードレッシング等の際、噴霧されるミストがノズル筒体内面に付着して成長し水滴となったり、ノズル筒体内面に付着した温ミストが凝縮して水滴となり、ノズル筒体を伝って垂れ落ち、被施術者の顔や髪に水滴が当たることがある。この垂れ落ちる水滴は被施術者に不快感を与えるうえに、ヘアに滴下した水滴はヘアに付着させたヘアダイ液やヘアカラー液を洗い流して着色にむらを生じさせたり、水滴により洗い流されたヘアダイ液やヘアカラー液が顔や頭皮に付着して顔や頭皮を汚したり傷めるという問題を生じさせたり、垂れ落ちた水滴で被施術者の衣服を濡らしたり汚すという問題も生じた。
【０００３】
【発明が解決しようとする課題】
本発明が解決しようとするところは、被施術者に水滴が垂れ落ちることのない美・理容装置用ノズルを提供することを目的とするものである。
【０００４】
【課題を解決するための手段】
前述の目的を達成するため本発明は、ミスト供給用のミストホースに接続されるノズル筒体のノズル口縁に筒状の吸水体を設けた美・理容装置用ノズルにおいて、前記したノズル筒体が、ミストホースに対して着脱自在な内筒と、先方部分をこの内筒の先端から張出させて該内筒に囲装される吸水体と、前記した内筒の基方に螺着されて先端に形成された内鍔部を吸水体の先端外周縁に係止させた状態としてこの吸水体を被套固定する外筒とよりなりなるものとして、外筒が内筒に対して分離可能で前記した吸水体を交換自在としてあることを特徴とする美・理容装置用ノズルを請求項１の発明とし、請求項１の発明において、外筒に多数の水分蒸発用の小孔が透設されている美・理容装置用ノズルを請求項２の発明とし、請求項１または２の発明において、ミストホースが顔用とヘア用とに分けられている美・理容装置用ノズルを請求項３の発明とするものである。
【０００５】
【発明の実施の形態】
次に、本発明の好ましい実施の形態を図１、２、３、４に基づいて詳細に説明する。
１はキャスター１ａにより移動自在とされ、背面に温ミスト噴霧用のミストホース２、２が接続された器具本体であり、この器具本体１に接続されるミストホース２、２は顔用であるかヘアー用であるかを識別できるように、色分けか、識別シールが貼られている。また、ミストホース２、２は屈曲変形自在なフレキシブルポール３に、複数の受け口を有するホルダ３ａをもって着脱自在に装着されるとともに、フレキシブルポール３の屈曲変形によりミストホース２、２のノズル筒体4 を任意の方向に向けることができるようになっている。さらに、ノズル筒体４はミストホース２と後記する継手を介して着脱交換自在に接続される。また、フレキシブルポール３を抱持するホルダ３ａの抱持力はミストホース２を抱持する受け口の抱持力よりも強くして、フレキシブルポール３からミストホース２を引き外す際、ホルダ３ａがミストホース２側に残らないようにしている。
【０００６】
また、前記ミストホース２、２に接続され、ノズル口縁に筒状の吸水体５が配置されるノズル筒体４は、ミストホース２の継手２ａと着脱自在に螺合される継手部４ａを基部に形成した内筒４ｂと、内筒４ｂの先端より先方に張出されるよう内筒４ｂを囲装する吸水体５と、該吸水体５を被套固定する外筒４ｃとよりなるものである。吸水体５は連続気孔を有するウレタン樹脂を用いて、吸水後、吸水体５を内筒４ｂから外して吸水体５を絞って水分を除いて再利用できるものとしているが、紙おむつに利用されるような使い捨て式の素材でもよく、要は吸水性を有するものであればよい。また、内筒4bの基方部に形成される鍔部27には外筒4cを螺着する低段のねじ部２８が形成されている。該ねじ部２８に外筒４ｃの基端に形成された雌ねじ部２９を螺挿することにより、外筒４ｃは内筒４ｂに分離可能に取り付けられる。さらに、外筒4cは先端に内鍔部３０が形成され、該内鍔部３０により吸水体５の先端外周縁を係止させて吸水体５が内筒４ｂから抜け出ることを防止している。この外筒４ｃの内鍔部３０により吸水体５の先端外周縁のみを係止させて抜け止めを行う理由は、吸水体５の先端全面を内鍔部３０により係止すると、ノズル筒体４のノズル口縁端は内鍔部３０により覆われることとなるので、噴霧されるミストが内鍔部３０の内周端面から表面にわたり付着し、そのミストが次第に成長して水滴となって垂れ落ちが発生するからである。さらに、内筒４ｂに外筒４ｃを螺着することにより、内筒４ｂと外筒４ｃとの分解分離を容易にして吸水体５の交換を迅速且つ、簡単に行うことができる。また、前記フレキシブルポール３は器具本体１の背面上下方向に配設されたガイド杆３ｃ、３ｃに摺動自在に装着されたスライダ３ｂ、３ｂに装着されて昇降動自在なものとしている。
【０００７】
７は器具本体1 に内蔵されるミスト生成装置であり、このミスト生成装置７は図４に示されるよう、ミスト発生装置７ａとスチーム発生装置７ｂとからなるものである。ミスト発生装置７ａは水中に没する隔壁８ａにより区画される給水室６ａとエアー室６ｂ、および、水面に下縁を近接させた隔壁８ｂによりエアー室６ｂからエアー供給ができるよう仕切られたミストガイド管６ｄを上面に設けたミスト発生室６ｃとからなるタンク室８と、タンク室８に給水を行う給水タンク９と、エアー室６ｂに送風管１０ａを介してエアーを送風するブロアモータ１０と、ミスト発生室６ｃの底部に装着されるミスト発生用の超音波振動子１１と、タンク室８の水位を検知して超音波振動子１１の作動を停止させるフロートスイッチ１２とからなり、タンク室８の水位レベルは給水タンク９の給水管９ａに透設された給水孔９ｂの位置によって自動的に調整される。
【０００８】
一方、前記したスチーム発生装置７ｂは、スチームガイド管１３ａを上面に設けたタンク１３にヒータ１３ｂを装着したもので、タンク１３には過熱防止用のバイメタル型のサーモスイッチ１４ａと保温用のバイメタル型のサーモスイッチ１４ｂとが取り付けられている。そして、タンク１３と前記ミスト発生装置７ａのタンク室８とは両底部に接続された連通管１６により接続されて供給水が両タンクに均等に供給されるようになっている。また、１５は連通管１６と接続されるドレン管であり、該ドレン管１５にはドレン弁１５ａが設けられている。
【０００９】
１７はミスト発生装置７ａで生じたミストとスチーム発生装置７ｂで生じたスチームとを混合させる混合器で、図示する混合器１７は、上部にミスト管１８との接続口が設けられ、底部には水抜き管２０との接続口が設けられ、また、側面にはミスト発生装置７ａに接続されるミストガイド管６ｄとの接続口と、スチーム発生装置７ｂに接続されるスチームガイド管１３ａとの接続口とを上下に配置してある混合タンク１７ａを用いてある。すなわち、混合タンク１７ａにはミストガイド管６ｄとスチームガイド管１３ａが接続され、混合タンク１７ａに接続されるミストガイド管６ｄはスチームガイド管１３ａより下方のタンク側面に、該タンク側面から先端を内空部に張出させて接続されていて、混合タンク１７ａに接続されるスチームガイド管１３ａはミストガイド管６ｄより上方のタンク側面に接続され、その先端はミストガイド管６ｄより長く内空部に張出されて、スチームがミストガイド管６ｄ内に逆流しないようにしている。１８は混合タンク１７ａの上面に接続されるＴ字状のミスト管で、該ミスト管１８には殺菌・消臭を行うイオン化装置、オゾン化装置１９およびサーミスタ１９ａが設けられている。なお、この殺菌・消臭を行うイオン化装置、オゾン化装置１９はオゾンあるいはイオンまたはその双方を発生させて温ミスト中に含まれる雑菌の滅菌や、ヘアードレッシングに使用する薬剤の薬臭を消したり、薬剤を分解したりするためのものである。また、サーミスタ１９ａは温ミストの温度を測定して温ミストの温度が一定となるようミストやスチームの発生量を調整するものである。２０は混合タンク１７ａの底部に接続される水抜き管であり、該水抜き管２０はスチーム発生装置７のタンク１３とミスト発生装置６のタンク室８に接続される連通管１６と接続されている。
【００１０】
２１、２２はミスト管１８から分岐される顔用ミスト管とヘアー用ミスト管であり、ヘアー用ミスト管２２に接続されるミスト管１８の管路には結露水捕集機構２３が接続されている。この結露水捕集機構２３は側面上方にミスト管１８の供給側を接続する上部導入孔２３ａと、側面下方にヘアー用ミスト管２２を接続する下部送出孔２３ｂとを設けるとともに、底部に水抜き管２４ｃを接続する底部孔２３ｃを形成した捕集タンク２３ｄとよりなるもので、前記水抜き管２４ｃには捕集タンク２４が接続されていて、この捕集タンク２４には水位報知機構２４ａと排水弁２４ｂが取り付けられている。なお、２５は器具本体１の上面に設けられる操作パネル、２６はバキュームや、ブラシ、スプレー等のフェイシヤル処理を行う他の機器を接続するための接続用パネル部である。
【００１１】
このような理・美容装置の作動は、先ず、器具本体１に内蔵されるミスト生成装置７としてのミスト発生装置７ａとスチーム発生装置７ｂを作動させる。この作動によりミスト発生装置７ａのタンク室８に貯留されている水はミスト発生室６ｃの超音波振動子１１によってミスト化される。そして、ミストはブロアモータ１０によりエアー室６ｂに送り込まれるエアーは、エアー室６ｂとミスト発生室６ｃを区画する隔壁８ｂと水面との問にある隙間からミスト発生室６ｃ内に送り出される。そして、ミスト発生室６ｃ内に送り込まれたエアーはミストを気流に乗せてミストガイド管６ｄへ送り出し、ミストガイド管６ｄを通って混合器１７の混合タンク１７ａ内に送り込まれる。これと同時に、スチーム発生装置７ｂのヒータ１３ｂにより加熱されたタンク１３内の水は蒸気となってスチームガイド管１３ａへ送り出され、スチームガイド管１３ａを通って混合タンク１７ａに送り込まれる。
【００１２】
この混合タンク１７ａへのミストの供給は、スチームガイド管１３ａより下方にあるミストガイド管６ｄからブロアモータ１０からの送風気流によって行われ、スチームの供給は、ミストガイド管６ｄより上方に配置され、ミストガイド管６ｄの先端より長く内空部に先端を張出させているスチームガイド管１３ａから蒸気圧により行われるので、スチームは下方のミストガイド管６ｄ内に逆流することなく送り込まれ、送風気流により上昇してくるミストとスチームは混合タンク１７ａ内で攪拌混合されて温ミストとなる。そして、温ミストは混合タンク１７ａの上面に接続されているミスト管１８より送り出されることとなる。このミスト管１８にはサーミスタ１９ａが設けられ、温ミストの温度を検出して、温ミストが適温になるようミスト発生装置７ａとスチーム発生装置７ｂを制御している。また、ミスト管１８には殺菌・消臭を行うイオン化装置、オゾン化装置１９が接続されており、温ミスト中に含まれている雑菌や薬臭や薬剤は分解され、清浄化された臭気のない温ミストが顔用ミスト管２１およびヘアー用ミスト管２２へ送出されることとなる。
【００１３】
そして、顔用ミスト管２１やヘアー用ミスト管２２通じてミストホース２、２に接続されたノズル筒体４より噴霧される温ミストを顔やヘアーに吹きかけてフエイシャルやヘアードレッシングを行うものであるが、このとき、温ミストはノズル筒体４の内筒４を通過する際に、内筒４ｂ内で凝縮して水滴となったり、内筒４ｂに付着したミストが成長して水滴となりノズル筒体４の内筒４ｂを伝い流れることとなるが、内筒４ｂの先端から先には、筒状の吸水体５が露呈されているので、伝い流れる水滴は吸水体５に吸収されてノズル開口より垂れ落ちることがなく、被施術者の顔や髪に水滴が落ちて不快感を感じさせることがないうえに、垂れ落ちた水滴によりヘアを染めたばかりのヘアダイ液やヘアカラー液を洗い流して色むらを生じさせることもない。また、水滴が被施術者の衣服に落ちて濡らしたり、汚したりする恐れもない。
【００１４】
また、ヘアードレッシングの際、特に、ヘアーキャップ等を利用する場合、シャンプー、カット、リンス、トリートメント、育毛、ヘアーダイ等薬剤の臭いがヘアー用ミスト管２２からミスト管１８に移行したり、薬剤の混ざった結露水がヘアー用ミスト管２２内に還流することがある。しかし、ヘアー用ミスト管２２内に還流した結露水はミスト管１８に接続された結露水捕集機構２３により捕集されるので、混合タンク１７ａまで還流することがなく、また、ミスト管１８に移行する薬臭等はミスト管１８に設けられた殺菌・消臭を行うイオン化装置、オゾン化装置１９により分解消臭されるので、顔用ミスト管２１から薬剤が混ざった温ミストや薬臭のある温ミストが噴霧されることはない。そして、結露水捕集機構２３により捕集された薬剤により汚染された結露水は水抜き管２４ｃを通じて捕集タンク２４に貯留されることとなる。そして、捕集タンク２４内の結露水が満水となり、水位報知機構２４ａが作動すると、ブザーやランプによる警報を発するので、利用者は排水弁２４ｂを開いて結露水を排出させればよい。
【００１５】
また、図５、６はノズル筒体４の他の実施例を示すもので、外筒４ｃに多数の小孔３２が透設して吸水体５が吸い込んだ水分を蒸発しやすくすることにより、吸水体５の吸水力が低下することを防止するとともに、吸水体５の吸水限界に短時間で達しないようにしてノズル筒体４や吸水体５を交換することなく長時間の連続使用を可能とした点が前記好ましい実施の形態のノズル筒体４と相違する以外は同じ構成で作用効果も同じため、同一符号を付して説明を省略する。
【００１６】
なお、前記好ましい実施の形態では、前記好ましい実施の形態では、ノズル筒体４に外筒４ｃを被套させたものとしているが、吸水体５の表面に硬質層を成形したものとしてもよい。また、前記好ましい実施の形態では、顔用ミスト管２１とヘアミスト管２２とを分けてヘアドレッシングに使用するシャンプー、カット、リンス、トリートメント、育毛、ヘアダイ等に用いられる薬剤の臭いが顔用ミスト管２１より噴霧されないようにしているが、吸水体５に活性炭等の臭い吸着材等を混入させたものとすれば、薬剤の臭いは吸収されるので、顔用ミスト管２１とヘアミスト管２２とを分けず同じミスト管を共用することができる。さらに、前記好ましい実施の形態では、結露水捕集機構２３を設けたものとしているが、結露水捕集機構２３を用いない美・理容装置としてもよいことは勿論である。また、前記好ましい実施の形態では、ミスト生成装置７はミスト発生装置７ａとスチーム発生装置７ｂとよりなるものとして温ミストを発生させているが、ミスト発生装置７ａにより発生させたミストを噴霧させるものとしてもよく、あるいは、スチーム発生装置７ｂにより発生させた蒸気ミストを噴霧するものとしてもよいことは勿論である。
【００１７】
【発明の効果】
本発明は前記説明から明らかなように、ミストを噴霧するノズル筒体の先端口縁を吸水体により囲装することにより、凝縮水やミストが成長した水滴がノズル筒体から垂れ落ちることがないので、被施術者に不快感を与えることがないうえに、水滴によりヘアに付着させたヘアダイ液やヘアカラー液が流されて着色にむらを生じさせたり、水滴により流されたヘアダイ液やヘアカラー液が顔や頭皮に付着して顔や頭皮を汚すこともない。さらに、垂れ落ちた水滴で被施術者の衣服を濡らしたり汚すこともないものである。また、ミストホースにノズル筒体を着脱自在に接続するものとしたので、吸水体が吸水限界に達した際、迅速且つ容易にノズル筒体を交換することができる。さらに、ノズル筒体を内筒と吸水体と外筒とよりなるものとしたので、取扱いが容易となるうえに、組立も簡単で安価なものとすることができ、外筒と内筒とを分離可能として吸水体を交換自在としたので、予備のノズル筒体を多数用意する必要がなく、予備の吸水体のみを用意すれば良いので、導入時のコストを抑えることができる。また、外筒の先端に形成される内鍔部を吸水体の外周先端縁に係止するものとしたので、内鍔にミストが付着することを抑えることができるうえに、内鍔部に付着したミストが成長して水滴となった際、垂れ落ちようとする水滴を吸水体に吸水させることができる。請求項２のように、外筒に多数の水分蒸発用の小孔を透設すれば、吸水体に吸収された水分を小孔を通じて蒸発させて吸水体の吸水力が低下することを抑えるとともに、吸水限界に達する時間を延長して長時間利用が可能となる。請求項３のように、ミストホースを顔用とヘア用とに分けたものとすれば、ヘア処理に用いた薬剤の臭いが顔用のミストに移行することがないので、顔用とヘア用とを共用する場合のように、吸水体に吸着材を含ませるなどの手段を講じなくても良くランニングコストを低減させることができる等種々の利点を有するものである。
従って、本発明は従来の問題点を解消した美・理容装置用ノズルとして業界の発展に寄与するところ大なものである。
【図面の簡単な説明】
【図１】本発明の第１の好ましい実施の形態を示す一部切欠断面図である。
【図２】本発明の第１の好ましい実施の形態を分解して示す斜視図である。
【図３】本発明の第１の好ましい実施の形態を取り付けた美・理容装置を示す側面図である。
【図４】 本発明の第１の好ましい実施の形態に用いられる美・埋容装置のミスト生成装置を示す槻略説明図である。
【図５】本発明の第２の好ましい実施の形態を示す一部切欠断面図である。
【図６】本発明の第２の好ましい実施の形態を分解して示す斜視図である。
【符号の説明】
２    ミストホース
４    ノズル筒体
4b    内筒
4c    外筒
５    吸水体
30    内鍔部
32    小孔
【図１】
0004521932.tif 000002
【図２】
0004521932.tif 000003
【図３】
0004521932.tif 000004
【図４】
0004521932.tif 000005
【図５】
0004521932.tif 000006
【図６】
0004521932.tif 000007